(57)【要約】【課題】入力された帳票の画像データに特徴情報が多量に含まれる領域が存在すると、該領域を無効にし、特徴情報をあらかじめ登録されている特徴情報と照合して帳票を識別するようにして、特徴情報に基づいて帳票を適切に識別することができ、帳票に記録された文字情報を正確に読み取ることができるようにする。【解決手段】帳票の画像データを入力する画像入力手段と、前記画像データから特徴情報を抽出する特徴情報抽出手段と、該特徴情報抽出手段が抽出した特徴情報を、あらかじめ登録されている特徴情報と照合して前記帳票を識別する帳票識別手段とを有する帳票読取装置１０であって、前記特徴情報抽出手段は、前記画像データに特徴情報が多量に含まれる領域が存在すると該領域の特徴情報を無効とする。【選択図】図１
2008083760.tif 000002
【特許請求の範囲】
【請求項１】
（ａ）帳票の画像データを入力する画像入力手段と、
（ｂ）前記画像データから特徴情報を抽出する特徴情報抽出手段と、
（ｃ）該特徴情報抽出手段が抽出した特徴情報を、あらかじめ登録されている特徴情報と照合して前記帳票を識別する帳票識別手段とを有する帳票読取装置であって、
（ｄ）前記特徴情報抽出手段は、前記画像データに特徴情報が多量に含まれる領域が存在すると該領域の特徴情報を無効とすることを特徴とする帳票読取装置。
【請求項２】
前記帳票識別手段は、前記領域外の特徴情報を、あらかじめ登録されている特徴情報と照合する請求項１に記載の帳票読取装置。
【請求項３】
前記特徴情報は罫線情報であり、前記領域は閾値以上の密度で罫線が存在する領域である請求項１又は２に記載の帳票読取装置。
【請求項４】
前記領域は、黒ベタ領域に白抜き文字が印刷されている領域又は暗証番号を隠すための領域を含む請求項３に記載の帳票読取装置。
【請求項５】
あらかじめ登録されている特徴情報を格納する登録済特徴情報記憶手段を更に有する請求項１に記載の帳票読取装置。
【発明の詳細な説明】
【技術分野】
【０００１】
本発明は、帳票読取装置に関するものである。
【背景技術】
【０００２】
従来、銀行、郵便局、信用金庫、消費者金融会社等の金融機関においては、住所変更等の顧客情報の更新や、振込等の金融取引を営業店の窓口やカウンタで依頼すると、必要事項が記載された依頼伝票等の帳票に記載された事項をデータ管理サーバ等のコンピュータに入力する。この場合、帳票に記録された情報を人手によらず自動的にコンピュータに入力するために、帳票に記録された文字情報を読み取るためのＯＣＲ（Ｏｐｔｉｃａｌ  Ｃｈａｒａｃｔｅｒ  Ｒｅａｄｅｒ）機能を備えた帳票読取装置が使用されている。
【０００３】
しかし、金融機関の営業店で取り扱う業務は多種多様なので、窓口やカウンタで受け付ける帳票も多種多様なものとなる。そこで、各種の帳票の画像データをＯＣＲ機能を備えた帳票読取装置によってあらかじめ取得し、当該帳票の罫線の特徴を罫線情報として登録しておき、窓口やカウンタで受け付けた帳票に記録された文字情報を読み取る際には、当該帳票の罫線情報をあらかじめ登録された罫線情報と照合して当該帳票の種類を識別するようになっている（例えば、非特許文献１参照。）。前記帳票読取装置は、このようにして当該帳票の種類を識別した後に、当該帳票に記載されている氏名、金額、口座番号等の帳票データを読み取ってコンピュータに送信する。
【非特許文献１】「沖テクニカルレビュー」沖電気工業株式会社発行、２００２年７月、第１９１号、Ｖｏｌ．６９、Ｎｏ．３、ｐ．９８−１０１（「Ｉｍａｇｅ／ＯＣＲコンポーネント」）
【発明の開示】
【発明が解決しようとする課題】
【０００４】
しかしながら、前記従来の帳票読取装置においては、罫線の特徴に基づいて帳票を識別するようになっているので、罫線同士の間隔が狭かったり、罫線が複雑に込み入っていたりすると、罫線の特徴を適切に識別することができないことがあった。例えば、前記従来の帳票読取装置では、黒画素が一定以上連続していると罫線として認識するようになっているので、黒ベタ領域に白抜き文字が印刷されている部分や、暗証番号を隠すための部分等においても罫線があるものと認識してしまう。すなわち、罫線同士の間隔が狭かったり、罫線が複雑に込み入っていたりする部分の情報をすべて読み取ってしまうと、帳票の識別結果に影響を及ぼし、帳票を誤認識してしまうことがある。
【０００５】
もっとも、前記従来の帳票読取装置においても、ノイズを除去することによって誤認識を防止するようになっている。すなわち、帳票を登録する時点において、ノイズを除去して登録するようになっている。しかし、この場合、罫線自体をノイズとして除去してしまうことがあり、帳票を適切に識別することができなくなってしまうことがある。
【０００６】
本発明は、前記従来の帳票読取装置の問題点を解決して、入力された帳票の画像データに特徴情報が多量に含まれる領域が存在すると、該領域を無効にし、特徴情報をあらかじめ登録されている特徴情報と照合して帳票を識別するようにして、特徴情報に基づいて帳票を適切に識別することができ、帳票に記録された文字情報を正確に読み取ることができる帳票読取装置を提供することを目的とする。
【課題を解決するための手段】
【０００７】
そのために、本発明の帳票読取装置においては、帳票の画像データを入力する画像入力手段と、前記画像データから特徴情報を抽出する特徴情報抽出手段と、該特徴情報抽出手段が抽出した特徴情報を、あらかじめ登録されている特徴情報と照合して前記帳票を識別する帳票識別手段とを有する帳票読取装置であって、前記特徴情報抽出手段は、前記画像データに特徴情報が多量に含まれる領域が存在すると該領域の特徴情報を無効とする。
【０００８】
本発明の他の帳票読取装置においては、さらに、前記帳票識別手段は、前記領域外の特徴情報を、あらかじめ登録されている特徴情報と照合する。
【０００９】
本発明の更に他の帳票読取装置においては、さらに、前記特徴情報は罫線情報であり、前記領域は閾（しきい）値以上の密度で罫線が存在する領域である。
【００１０】
本発明の更に他の帳票読取装置においては、さらに、前記領域は、黒ベタ領域に白抜き文字が印刷されている領域又は暗証番号を隠すための領域を含む。
【００１１】
本発明の更に他の帳票読取装置においては、さらに、あらかじめ登録されている特徴情報を格納する登録済特徴情報記憶手段を更に有する。
【発明の効果】
【００１２】
本発明によれば、帳票読取装置においては、入力された帳票の画像データに特徴情報が多量に含まれる領域が存在すると、該領域を無効にし、特徴情報をあらかじめ登録されている特徴情報と照合して帳票を識別するようになっている。これにより、特徴情報に基づいて帳票を適切に識別することができ、帳票に記録された文字情報を正確に読み取ることができる。
【発明を実施するための最良の形態】
【００１３】
以下、本発明の実施の形態について図面を参照しながら詳細に説明する。
【００１４】
図１は本発明の実施の形態における帳票読取装置の構成を示すブロック図である。
【００１５】
図において、１０は銀行、郵便局、信用金庫、消費者金融会社等の金融機関の本店、支店等の営業店、前記金融機関の帳票取扱センタ、データエントリセンタ等に配設された帳票読取装置である。該帳票読取装置１０は、金融機関において、顧客が口座の新規開設、キャッシュカードの暗証番号の届出、住所変更等の届出や更新を窓口やカウンタで依頼すると、必要事項が記載された依頼伝票等の識別対象帳票としての入力帳票１１の画像データを取得し、該画像データに基づいて、前記入力帳票１１に記載された事項をエントリデータとして入力するためのコンピュータシステムである。
【００１６】
そして、前記帳票読取装置１０は、ＣＰＵ、ＭＰＵ等の演算手段、磁気ディスク、半導体メモリ等の記憶手段、キーボード、マウス、押しボタン、タッチパネル等の入力手段、ＣＲＴ、液晶ディスプレイ、ＬＥＤ（Ｌｉｇｈｔ  Ｅｍｉｔｔｉｎｇ  Ｄｉｏｄｅ）ディスプレイ等の表示手段、通信インターフェイス等を備えるコンピュータである。なお、前記帳票読取装置１０は、例えば、パーソナルコンピュータであるが、サーバ、ワークステーション等いかなる種類のコンピュータであってもよい。また、前記帳票読取装置１０は、単一にコンピュータから成る装置であってもよいし、複数台のコンピュータを相互に接続した分散型サーバのような装置であってもよい。
【００１７】
本実施の形態における帳票読取装置１０は、機能の観点から、前記入力帳票１１の画像を画像データとして入力する画像入力手段としての画像入力処理部１２、入力された画像データを格納する入力画像データ記憶手段としての入力画像メモリ１３、前記画像データから特徴情報を抽出する特徴情報抽出手段としての特徴情報抽出部１４、抽出された特徴情報を格納する特徴情報記憶手段としての特徴情報格納メモリ１５、前記入力帳票１１を識別する帳票識別手段としての帳票識別処理部１６、あらかじめ登録された各種の帳票の特徴情報を格納する登録済特徴情報記憶手段としての帳票識別情報格納メモリ２１、前記帳票読取装置１０全体の動作を制御する制御部２２、前記帳票読取装置１０を操作するオペレータによる入力操作を受け付ける入力部２３、及び、前記オペレータに対して情報を表示する表示部２４を有する。なお、前記画像入力処理部１２、入力画像メモリ１３、特徴情報抽出部１４、特徴情報格納メモリ１５、帳票識別処理部１６、帳票識別情報格納メモリ２１、制御部２２、入力部２３及び表示部２４は、データバス、システムバス、ＬＡＮ（Ｌｏｃａｌ  Ａｒｅａ  Ｎｅｔｗｏｒｋ）、イントラネット等の通信回線網を介して、相互に通信可能に接続されている。
【００１８】
ここで、前記画像入力処理部１２は、フラットヘッドスキャナ、シートフィードスキャナ、ドラムスキャナ、非接触型スタンドスキャナ等であるが、いかなる種類のスキャナであってもよい。また、前記画像入力処理部１２は、カラー画像の読み取りが可能なカラースキャナであることが望ましいが、モノクロスキャナであってもよい。本実施の形態において、前記画像入力処理部１２は、帳票読取装置１０に入力すべき事項、すなわち、エントリデータが記載された入力帳票１１に光を照射する蛍光灯から成る光源、及び、前記入力帳票１１の表面からの反射光を受光するＣＣＤ（Ｃｈａｒｇｅ  Ｃｏｕｐｌｅｄ  Ｄｅｖｉｃｅ：電荷結合素子）等から成るライン型イメージセンサのようなイメージセンサを備える。
【００１９】
さらに、前記画像入力処理部１２は、ホッパ、搬送経路、スタッカ等を有し、複数枚の入力帳票１１を順次読み取ることができるものであることが望ましい。この場合、前記ホッパは複数枚の入力帳票１１を積み重ねた状態で収納する。また、前記搬送経路は、ベルト、ローラ等の搬送装置を備えて画像入力処理部１２内に形成され、前記ホッパ内に積み重ねられた複数枚の入力帳票１１が紙送り装置によって一番上又は一番下から順次送り込まれると、送り込まれた入力帳票１１を前記イメージセンサに搬送する。さらに、前記搬送経路は、前記イメージセンサにおいて画像データが取得された入力帳票１１を搬送してスタッカに排出するようになっている。
【００２０】
また、前記搬送経路における画像読取部の下流側には印字ヘッドを備える印字部が配設され、前記入力帳票１１の隅や裏面の余白部分の通番記載欄に通番を印字するようになっていることが望ましい。該通番は、それぞれの入力帳票１１がどのような順番で画像入力処理部１２によって読取処理が行われたかを確認するものであり、読取処理が行われた順番を示す番号である。
【００２１】
そして、前記入力帳票１１は、業務毎に相違するフォーマットを備え、各業務に対応した必要事項が記載される帳票である。ここで、前記業務は、顧客が窓口やカウンタで依頼した届出や更新に対応して金融機関が行う業務であるが、顧客の依頼に対応するもの以外に金融機関が行う業務を含むものであってもよい。そして、前記入力帳票１１は、業務毎に仕分けられ、オペレータが入力部２３を操作して指定した業務に対応する入力帳票１１の画像データが画像入力処理部１２によって取得される。
【００２２】
また、前記特徴情報抽出部１４は、入力画像メモリ１３に格納されている画像データから入力帳票１１がどのような種類のものであるかを識別するための特徴情報を抽出する。該特徴情報は、例えば、入力帳票１１に印刷された罫線の形状、長さ、本数、構成等から成る情報としての罫線情報である。そして、特徴情報抽出部１４が抽出した入力帳票１１の特徴情報は、前記特徴情報格納メモリ１５に格納される。
【００２３】
さらに、前記帳票識別処理部１６は、前記特徴情報格納メモリ１５に格納された入力帳票１１の特徴情報を、帳票識別情報格納メモリ２１に格納されている各種の帳票の特徴情報と照合することによって、前記入力帳票１１を識別する。前記帳票識別情報格納メモリ２１には、業務毎に相違するフォーマットを備える各種の帳票の特徴情報があらかじめ登録されて格納されている。したがって、帳票識別情報格納メモリ２１に格納されている特徴情報と照合することによって、前記入力帳票１１の種類を特定し、どのようなフォーマットを備えるものであるかを判別することができる。
【００２４】
また、前記入力部２３は、帳票読取装置１０を操作するオペレータによる入力操作を受け付けるものであり、キーボード、マウス、押しボタン、タッチパネル等の入力手段が該当する。さらに、前記表示部２４は、前記オペレータに各種の情報を表示するものであり、ＣＲＴ、液晶ディスプレイ、ＬＥＤディスプレイ等の表示手段が該当する。
【００２５】
次に、前記構成の帳票読取装置１０の動作について説明する。ここでは、入力帳票１１を識別する動作について説明する。
【００２６】
図２は本発明の実施の形態における入力帳票の第１の例を示す図、図３は本発明の実施の形態における入力帳票の第２の例を示す図、図４は本発明の実施の形態における入力帳票の第２の例の画像データを示す図、図５は本発明の実施の形態における入力帳票の第２の例の画像データにおいて特徴情報を無効にする範囲を示す図、図６は本発明の実施の形態における帳票読取装置の動作を示すフローチャートである。
【００２７】
まず、オペレータが入力部２３を操作して、入力帳票１１に記載された事項をエントリデータとして帳票読取装置１０に入力するための動作を開始させると、該帳票読取装置１０は、画像入力処理を実行する。該画像入力処理においては、制御部２２が画像入力処理部１２を制御して、該画像入力処理部１２に入力帳票１１を読み取らせる。そして、前記画像入力処理部１２が取得した入力帳票１１の画像データは、入力画像メモリ１３に格納される。
【００２８】
ここで、前記入力帳票１１は、例えば、図２に示されるようになっている。この場合、入力帳票１１は、顧客が口座の新規開設等を依頼するために使用する種類の帳票であり、黒ベタ領域に白抜き文字が印刷されている領域１１ａ−１や、暗証番号を隠すための領域１１ａ−２等を有する。前記画像入力処理部１２は、黒画素が一定以上連続していると罫線として認識するようになっているので、前記領域１１ａ−１及び２を罫線が多量に含まれる領域であるものと認識してしまう。
【００２９】
また、図３には入力帳票１１の他の例が示されている。図３に示される入力帳票１１は、所定の閾値以上の密度で罫線が存在する領域１１ｂを有する。前記閾値は、所定の範囲内に所定本数が含まれる状態に該当する密度であり、例えば、入力帳票１１がＡ４版のサイズを有するものである場合、１〔ｃｍ〕角の範囲内に３本の罫線が含まれる状態に該当する密度である。なお、前記閾値は、あらかじめ設定されるものであるが、適宜変更することができる。
【００３０】
前記画像入力処理部１２が、それ自体の構成が、例えば、非接触型スタンドスキャナのように、比較的解像度の低いものであったり、周囲の光や影の影響を受けやすいような環境下におかれたものであったりする場合には、前記領域１１ｂにおいて、隣接する罫線同士が潰（つぶ）れてつながってしまうので、入力帳票１１の画像データが図４に示されるようなものとなってしまう可能性がある。すなわち、閾値以上の密度で罫線が存在する領域１１ｂが、黒ベタ領域のようになってしまう可能性がある。
【００３１】
次に、帳票読取装置１０は、特徴情報抽出処理を実行する。該特徴情報抽出処理においては、特徴情報抽出部１４が、前記入力画像メモリ１３に格納された入力帳票１１の画像データから特徴情報を抽出して特徴情報格納メモリ１５に格納する。ここでは、前記特徴情報が罫線の形状、長さ、本数、構成等から成る罫線情報であるものとして説明する。この場合、前記特徴情報抽出部１４は、閾値以上の密度で罫線が存在する領域１１ｂを含む図５に示されるような範囲１１ｃ内に存在する特徴情報としての罫線情報を無効にする。したがって、前記特徴情報抽出部１４は、入力帳票１１の画像データから、範囲１１ｃ外に存在する罫線についての罫線情報のみを特徴情報として抽出する。
【００３２】
次に、帳票読取装置１０は、帳票識別処理を実行する。該帳票識別処理においては、帳票識別処理部１６が、帳票識別情報格納メモリ２１に格納されているあらかじめ登録された各種の帳票の特徴情報を順に取り出し、入力画像メモリ１３に格納された入力帳票１１の画像データから特徴情報抽出部１４が抽出した特徴情報と照合する。そして、一致率が所定の閾値以上となった帳票の特徴情報を特定する情報（例えば、ＩＤ等）を表示部２４に表示する。これにより、前記入力帳票１１が識別され、その種類を、帳票識別情報格納メモリ２１に格納されているあらかじめ登録された帳票の特徴情報を特定する情報として把握することができる。
【００３３】
次に、フローチャートについて説明する。
ステップＳ１  画像入力処理を行う。
ステップＳ２  特徴情報抽出処理を行う。
ステップＳ３  帳票識別処理を行い、処理を終了する。
【００３４】
このように、本実施の形態において、帳票読取装置１０は、罫線同士の間隔が狭かったり、複雑に込み入っていたりする領域における特徴情報を無効とし、他の領域における特徴情報に基づいて、入力帳票１１を識別する。そのため、特徴情報に基づいて入力帳票１１を適切に識別することができる。したがって、前記入力帳票１１に記録された文字情報を正確に読み取ることができる。
【００３５】
また、画像入力処理部１２の種類や入力帳票１１の画像データを取得する環境によらず、安定した入力帳票１１の識別結果を得ることができる。
【００３６】
なお、本発明は前記実施の形態に限定されるものではなく、本発明の趣旨に基づいて種々変形させることが可能であり、それらを本発明の範囲から排除するものではない。
【図面の簡単な説明】
【００３７】
【図１】本発明の実施の形態における帳票読取装置の構成を示すブロック図である。
【図２】本発明の実施の形態における入力帳票の第１の例を示す図である。
【図３】本発明の実施の形態における入力帳票の第２の例を示す図である。
【図４】本発明の実施の形態における入力帳票の第２の例の画像データを示す図である。
【図５】本発明の実施の形態における入力帳票の第２の例の画像データにおいて特徴情報を無効にする範囲を示す図である。
【図６】本発明の実施の形態における帳票読取装置の動作を示すフローチャートである。
【符号の説明】
【００３８】
１０    帳票読取装置
１１ａ−１、１１ａ−２、１１ｂ    領域
１２    画像入力処理部
１４    特徴情報抽出部
１６    帳票識別処理部
２１    帳票識別情報格納メモリ
【図１】
2008083760.tif 000003
【図２】
2008083760.tif 000004
【図３】
2008083760.tif 000005
【図４】
2008083760.tif 000006
【図５】
2008083760.tif 000007
【図６】
2008083760.tif 000008